(57)【要約】【課題】印字部に２重送りの用紙を供給しないようにする携帯情報端末機器の用紙供給装置を提供すること。【解決手段】携帯情報端末機器１に設けられ、印字部へ用紙を供給する携帯情報端末機器の用紙供給装置において、折り畳まれた連続用紙を２つ折りにして収納する用紙収納部と、用紙収納部から引き出される用紙２１０を印字部まで案内する案内部２０を備え、用紙案内部は、用紙の第1の面αが内側になるように用紙を屈曲させる第1案内部２２ａと、第1案内部と前記印字部の間に、第1の面α側の逆側である第２の面βが内側になるように用紙が屈曲させる第２案内部２６を有し、第1案内部は、用紙の第２の面側に付着して２重に引き出された部分を分離し、第２案内部は、用紙の第１の面側に付着して２重に引き出された部分を分離する。【選択図】図５Ｃ
2015085530.tif 000002
【特許請求の範囲】
【請求項１】
携帯情報端末機器に設けられ、印字部へ用紙を供給する携帯情報端末機器の用紙供給装置において、
折り畳まれた連続用紙を２つ折りにして収納する用紙収納部と、
前記用紙収納部から引き出される用紙を前記印字部まで案内する用紙案内部を備え、
前記用紙案内部は、前記用紙の第1の面が内側になるように前記用紙を屈曲させる第1案内部と、前記第1案内部と前記印字部の間に、前記第1の面側の逆側である第２の面が内側になるように前記用紙が屈曲させる第２案内部を有し、
前記第1案内部は、前記用紙の前記第２の面側に付着して２重に引き出された部分を分離し、
前記第２案内部は、前記用紙の前記第１の面側に付着して２重に引き出された部分を分離する
ことを特徴とする携帯情報端末機器の用紙供給装置。
【請求項２】
前記用紙案内部には、前記第1案内部の周囲に、前記第1案内部で分離される前記２重に引き出された部分を受け入れる第1空隙が設けられ、さらに前記第２案内部の周囲に、前記第２案内部で分離される前記２重に引き出された部分を受け入れる第２空隙が設けられる
ことを特徴とする請求項1に記載の携帯情報端末機器の用紙供給装置。
【請求項３】
前記用紙収納部は、前記携帯情報端末機器の所定の面に配置され、重なる折り畳み用紙の折り返し部分が一方の端部、前記２つ折りの湾曲部分が他方の端部となるよう向きで、前記折り畳み用紙を収納し、
前記用紙案内部は、前記第1案内部材を前記一方の端部の上方に配置し、前記第２案内部を前記第1案内部よりも低い位置で、かつ前記第1案内部よりも前記他方の端部に近い位置に配置する
ことを特徴とする請求項1に記載の携帯情報端末機器の用紙供給装置。
【請求項４】
前記用紙案内部は、前記第1案内部と前記第２案内部とにより、前記用紙を前記用紙案内部内で略Ｓ字状に案内する
ことを特徴とする請求項１〜３に記載の携帯情報端末機器の用紙供給装置。
【請求項５】
前記第２案内部は、前記印字部のプラテンを支持し前記携帯情報端末機器に開閉可能な上部カバーの内側に形成される
ことを特徴とする請求項１〜４に記載の携帯情報端末機器の用紙供給装置。
【発明の詳細な説明】
【技術分野】
【０００１】
本発明は、携帯情報端末機器の印字部に用紙を供給する用紙供給装置において、用紙の２重送りを防止する技術に関する。
【背景技術】
【０００２】
屋外での検針業務等にプリンタ付の携帯端末情報装置が広く用いられる。プリンタ付の携帯端末情報装置は、機器の小型化のために用紙として折り畳み用紙、いわゆるファンフォールド(fan fold)紙を使用するタイプが多い。
【０００３】
連続用紙が折り畳まれ積層されたファンフォールド紙では、折り目部分同士が付着した状態で用紙が引き出されて、用紙が重なったまま印字部に入り、印字部で詰まってしまうトラブルが発生しやすい。このような用紙の２重送りを防止する技術として、例えば、用紙の折り返し先端部が印字部の入口から十分に離れるように用紙を収納する携帯端末情報装置が提案されている（特許文献１）。
【先行技術文献】
【特許文献】
【０００４】
【特許文献１】特開２０１１−３２０２５号公報
【発明の概要】
【発明が解決しようとする課題】
【０００５】
２重送りされた用紙が印字部に入ると大きなトラブルが生じるので、印字部に入る用紙に２重送りがないようにしなければならない。
【０００６】
本願発明は、上記課題に鑑み、印字部に２重送りの用紙を供給しないようにする携帯情報端末機器の用紙供給装置を提供することを目的とする。
【課題を解決するための手段】
【０００７】
上記目的を達成するために、携帯情報端末機器に設けられ、印字部へ用紙を供給する携帯情報端末機器の用紙供給装置において、折り畳まれた連続用紙を２つ折りにして収納する用紙収納部と、前記用紙収納部から引き出される用紙を前記印字部まで案内する用紙案内部を備え、前記用紙案内部は、前記用紙の第1の面が内側になるように前記用紙を屈曲させる第1案内部と、前記第1案内部と前記印字部の間に、前記第1の面側の逆側である第２の面が内側になるように前記用紙が屈曲させる第２案内部を有し、前記第1案内部は、前記用紙の前記第２の面側に付着して２重に引き出された部分を分離し、前記第２案内部は、前記用紙の前記第１の面側に付着して２重に引き出された部分を分離する。
【発明の効果】
【０００８】
本発明によれば、印字部に２重送りの用紙を供給しないようにする携帯情報端末機器の用紙供給装置を提供することができる。
【図面の簡単な説明】
【０００９】
【図１】携帯情報端末装置の外観を示す斜視図である
【図２】用紙供給部５及び印字部６０の構成を示す断面図である。
【図３】折り畳み用紙２００を模式的に示す図である。
【図４】印字中の用紙供給部５及び印字部６０の構成を示す断面図である。
【図５Ａ】第１案内部で用紙が分離される様子を説明するための図（１）である。
【図５Ｂ】第１案内部で用紙が分離される様子を説明するための図（２）である。
【図５Ｃ】第１案内部で用紙が分離される様子を説明するための図（３）である。
【図６Ａ】第２案内部で用紙が分離される様子を説明するための図（１）である。
【図６Ｂ】第２案内部で用紙が分離される様子を説明するための図（２）である。
【図６Ｃ】第２案内部で用紙が分離される様子を説明するための図（３）である。
【図６Ｄ】第２案内部で用紙が分離される様子を説明するための図（４）である。
【発明を実施するための形態】
【００１０】
以下、図面に従って本発明の実施形態を説明する。図１は、本発明の実施形態に適用される携帯情報端末装置（携帯情報端末機器とも称す）の外観を示す斜視図である。携帯情報端末装置１は、例えば、ガス、水道、電力量等の検針時に携帯されて、ガス等の使用量の結果を現場で記録媒体にプリントし、プリントした記録媒体を切り離して使用者に直接手渡しを可能とする装置である。
【００１１】
図１の左上に示す座標（ＸＹＺ）は、以降で示す各図との方向関係を規定する座標である。また、図１の左上に図示するように、図１で示す携帯情報端末装置１の下側を前方側、上側を後方側と呼ぶ。また、Ｘ方向を幅方向、Ｚ方向を高さ方向とも呼ぶ。
【００１２】
携帯情報端末装置１は、前方側に操作関連部を、後方側にプリンタ関連部をそれぞれ有し、略縦長で後方側が底部方向に膨らんだ形状である。携帯情報端末装置１は、プリンタ関連部として、後方側に用紙供給部（用紙供給装置とも呼ぶ）５、後方側上面に上部カバー５０、上部カバー５０から中央寄りの内部に印字部６０を有する。
【００１３】
用紙供給部５は、用紙収納部１０と用紙案内部２０を有する。用紙収納部１０は、折り畳み用紙を収納するための空間を内部に有する。携帯情報端末装置１の底部の膨らんだ部分が用紙収納部１０である。尚、用紙収納部１０は、着脱可能で、使用する折り畳み用紙のサイズにより、サイズの異なる用紙収納部に交換可能としてもよい。用紙案内部２０は、折り畳み用紙から引き出された連続用紙を、印字部６０まで案内するもので、用紙収納部１０の上部に設けられる。
【００１４】
上部カバー５０は、携帯情報端末装置１の本体部７に対してＰ方向に回動することで、開閉可能に設けられる。図１は、上部カバー５０が閉じられた状態を示す。上部カバー５０の表面には、上部カバー５０の開閉時に指を入れるための凹部５２が形成される。上部カバー５０を閉止した状態で、上部カバー５０の先端部と本体部７との間には若干の隙間が設けられて、用紙が排出される排紙口５４が形成される。
【００１５】
ロック釦５８は、上部カバー５０を閉止状態に保持しておくための釦である。ロック釦５８をロック解除位置に移動させることで、上部カバー５０を開放することができる。また、携帯情報端末装置１の後方端には、用紙収納部１０の開閉を係止する係止部１０ａが係止状態で保持される。係止部１０ａは、用紙収納部１０の一部である。
【００１６】
携帯情報端末装置１は、操作関連部として、表示部１００と入力部１１０を有し、入力部１１０の下側側面に電池カバー１２０を有する。表示部１００は、操作メニューあるいは入力あるいは取得されたデータ等を表示するもので、例えば液晶ディスプレーである。入力部１１０は、操作指示あるいは各種データを入力するもので、例えばキーボードから構成される。電池カバー１２０は、入力部１１０の下に設けられる電池収納室を保護するものである。電池カバー１２０の表面に設けられるレバー１２２は、電池カバー１２０の開閉を操作するツマミである。携帯情報端末装置１を長手方向に沿ってＭＭで断面した形状を図２以降に示す。
【００１７】
図２は、図１の携帯情報端末装置１を右方向から見たＭＭ断面図で、携帯情報端末装置１の用紙供給部５（用紙収納部１０と用紙案内部２０）及び印字部６０の構成を示す断面図である。なお、図２は、折り畳み用紙２００が用紙収納部１０に収納はされているが、用紙は引き出されていない状態である。
【００１８】
用紙収納部１０は、樹脂製の薄いシート材が折り曲げられて箱状に形成されたものである。用紙収納部１０は、折り畳まれた連続用紙（折り畳み用紙２００）を２つ折りにして収納する。用紙収納部１０の後方側の側壁１０ｂは、折り畳み用紙２００の入口を開閉する扉である。側壁１０ｂは、用紙収納部１０の底部１０ｃと根元で繋がっていて、根本から＋Ｐ方向に回動可能である。側壁１０ｂを+Ｐ方向に回動することで、用紙収納部１０の後方側が開放される。図２は、側壁１０ｂが閉止位置の状態である。開放された後方側から折り畳み用紙２００を収納することができる。側壁１０ｂの先端に係止部１０ａに繋がっていて、係止部１０ａを本体部７に係止させることで、側壁１０ｂが閉止位置に保持される。
【００１９】
また、用紙収納部１０を構成するシート材は、透明にしてもよい。透明であれば、折り畳み用紙２００を湾曲させて用紙収納部１０に収納した後の用紙送り状態を、外部から容易に視認することができ、また、折り畳み用紙２００の残量等を視認することもできる。その他、用紙ジャム等のような用紙に関するトラブルを直ちに発見することができる。なお、折り畳み用紙２００を湾曲させて収納することで、元に戻ろうとする用紙の反発力により用紙収納部１０内での位置ずれは、ある程度規制されている。
【００２０】
連続用紙が折り畳まれた折り畳み用紙２００は、中央で２つ折りにされ、２つ折りにされた折り畳み用紙２００が上下で向かい合うような状態で、用紙収納部１０に収納される。折り畳み用紙２００の両端の折り返し端部２００ａと折り返し端部２００ｂが上下で向かい合うように、収納される。
【００２１】
図３は、折り畳み用紙２００を模式的に示す図である。折り畳み用紙２００は、幅方向に平行な折り目（ミシン目部分）で交互に折り畳まれた複数の用紙が積層されて構成される。この折り畳み用紙２００は、例えば、折り目で切り離し後の寸法規格がユーザごとに定められていて、一例として幅（８０ｍｍ）×長さ（２００ｍｍ）の用紙が、折り目を境として交互に折り畳まれている。折り畳み用紙２００は、内側から用紙が引き出されていく。なお、以下では、折り畳まれた状態と引き出された状態を区別するために、折り畳まれた状態の用紙を折り畳み用紙２００と称し、引き出された状態の用紙を用紙２１０と称する。
【００２２】
図２に戻る。用紙収納部１０の上部に用紙案内部２０が設けられる。用紙案内部２０は、用紙収納部１０から引き出される用紙を印字部６０まで案内するものである。用紙案内部２０の後方側の位置には、仕切り板２２が設けられる。仕切り板２２は、用紙案内部２０の幅方向全体に渡った長さで、後方側が高く前方側が低くなるような角度で斜面を形成するように設けられる。仕切り板２２は、用紙２１０を案内するものとして、第１案内部２２ａと斜面部２２ｂを有する。
【００２３】
第１案内部２２ａは、仕切り板２２の後方側の端部に設けられ、略上方向に凸となるような半円状の曲面である。斜面部２２ｂは、第１案内部２２ａで後方側に位置し、略一定角度で前方側に傾斜する部分である。
【００２４】
第１案内部２２ａは、第１案内部２２ａの先端と用紙収納部１０の側壁１０ｂとの間に所定の隙間Ｋ１が確保される位置に設けられる。第１案内部２２ａと用紙収納部１０の側壁１０ｂの間の空隙（隙間Ｋ１）を、第１空隙２４とも呼ぶ。
【００２５】
また、第１案内部２２ａの先端は、折り返し端部２００ａからＬだけ後方側に突出した位置に設けられる。折り畳み用紙２００から用紙を引き出す場合に、折り返し端部２００ａ（２００ｂ）から遠ざかる方向（後方側）に引き出すことで、引き出し時の負荷を減少させることができるからである。
【００２６】
仕切り板２２の斜面部２２ｂの端部から前方側の位置に第２案内部２６が設けられる。第２案内部２６は、上部カバー５０の一部が略下に向かって凸状の曲面形状を形成している。具体的には、第２案内部２６は、上部カバー５０の凹部５２を形成する部分の内壁によって形成される。第２案内部２６と用紙２００の間には所定の隙間Ｋ２が設けられる。第２案内部２６と用紙２００の間の空隙（隙間Ｋ２）を、第２空隙２８とも呼ぶ。
つまり、用紙収納部１０は、携帯情報端末装置１の底部に配置され、折り畳み用紙２００を上下に２つ折り状態にして、上下で重なる折り畳み用紙２００の折り返し部分を一方の端部とし、２つ折りの湾曲部分を他方の端部となるようにして、折り畳み用紙２００を収納する。そして、用紙案内部２０は、第1案内部材２２ａを一方の端部の上方に配置し、第２案内部２６を第1案内部２２ａよりも低い位置で、かつ第1案内部２２ａよりも他方の端部に近い位置に配置する。
【００２７】
印字部６０は、プラテン６２と、用紙２１０に印字する記録ヘッド６４と、プラテン６２を回転させる駆動モータ６６をそれぞれ有する。プラテン６２は、折り畳み用紙２００から用紙２１０を引き出す用紙駆動部材であると共に、用紙２１０を記録ヘッド６４に押圧する押圧部材でもある。
【００２８】
記録ヘッド６４としては、熱により用紙２１０に印字可能なサーマルヘッドが用いられている。これにより、ノンインパクト方式で用紙２１０に必要な情報が印字される。ただし、熱印字方式に限らず、例えばワイヤドット等のインパクト方式による印字手段を用いてもよい。また、記録ヘッド６４による印字は、電気基板６８により制御され、電気基板６８から送信された信号が、ハーネス７０を経由した信号により、印字を行う。
【００２９】
プラテン６２は、上部カバー５０の前方側端部の内側に回転自在に取付けられる。上部カバー５０は、本体部７に軸支され、軸を中心としてＰ方向に回動可能となっている。プラテン６２は、ゴム等の弾性体からなり、上部カバー５０の回動軸と平行に配置される。つまり、第２案内部２６は、携帯情報端末装置１に開閉可能な上部カバー５０の内側に形成されることになる。
【００３０】
駆動モータ６６は、記録ヘッド６４を挟んでプラテン６２と対向する側に配置される。記録ヘッド６４は、不図示の弾性体による付勢力でプラテン６２側に常時付勢され、記録ヘッド６４により、用紙２１０に各種情報が印字される。排紙口５４には、用紙２１０をカットするためのカッタ刃（不図示）が設けられる。
【００３１】
印字準備時には、上部カバー５０を開操作（＋P方向へ回動）して、用紙案内部２０を開放して、用紙２１０を記録ヘッド６４まで引出してセットする。セット後、上部カバー５０の閉操作（−P方向）することで、上部カバー５０に設けられたプラテン６２が記録ヘッド６４に密着されて、用紙セットが完了する。
【００３２】
図４は、図３と同一方向から見た断面図で、折り畳み用紙２００が引き出される印字中の状態である。折り畳み用紙２００の状態から排紙口５４まで案内される用紙２１０の各位置を、順番に用紙２１０ａ〜用紙２１０ｆで示す。また、印字は用紙２１０の記録ヘッド６４側にされるので、用紙２１０の記録ヘッド６４側の面を印刷面α（第１の面とも称す）、その逆側の面を非印刷面β（第２の面とも称す）と表示する。
【００３３】
折り畳み用紙２００から引き出される用紙２１０は、用紙収納部１０から用紙案内部２０に入る。用紙２１０は、折り畳み用紙２００から第１案内部２２ａの手前まで、後方側に向かって斜め上方向に直線的に第１案内部２２ａまで進む（用紙２１０ａ）。
【００３４】
用紙２１０は、第１案内部２２ａで、第１案内部２２ａの曲面に沿って、印刷面αを内側、非印刷面βを外側にして、斜め上方向に凸状に屈曲しながら、方向を変える（用紙２１０ｂ）。用紙２１０は、第１案内部２２ａを通過した後は、斜面部２２ｂと平行に前方に向かって斜め下方向に進む（用紙２１０ｃ）。
【００３５】
用紙２１０は、第２案内部２６で、第２案内部２６の曲面に沿って、印刷面αを外側、非印刷面βを内側にして、下に凸状に屈曲しながら、方向を前方に向かって斜め上に変える（用紙２１０ｄ）。用紙２１０は、第２案内部２６を通過した後は、プラテン６２と記録ヘッド６４の間に吸い込まれる（用紙２１０ｅ）。用紙２１０は、プラテン６２と記録ヘッド６４の間を通過して印字された後、排紙口５４から排出される（用紙２１０ｆ）。
【００３６】
以上に示す用紙の経路は、太線で示すようにＳ字を横にしたような形状を構成する。つまり、用紙案内部２０は、第1案内部２２ａと第２案内部２６とにより、用紙を略Ｓ字状に案内するとも言える。
【００３７】
図５の各図は、２重に引き出された用紙の部分が第１案内部２２ａで分離される様子を時系列で模式的に説明する図である。図５の各図は、用紙の非印刷面β側に付着した２重に引き出された用紙が、第１案内部２２ａによって分離される様子を説明する図である。図５Ａ、図５Ｂ、図５Ｃは、時系列の順番である。図５の各図は、図３と同一方向から見た断面図であるが、説明に不要な箇所は省略して図示する。
【００３８】
図５Ａは、印字実行中に、折り畳み用紙２００から用紙２１０が引き出される際に、用紙２１０の折り目２１０ｍに後続する折り目２２０ｍが付着した状態で引き出された状態を示す図である。なお、折り目の位置を分かりやすくするために、折り目を黒丸で示す。
【００３９】
折り畳み用紙２００は束の状態で保管されることが多いので、用紙２１０の折り目２１０ｍに後続する折り目２２０ｍが弱い力ではあるが付着してしまい、付着された状態で引き出されてしまうことがある。この２重に引き出された用紙（以下、２重部分２２０と称す）のままで、プラテン６２と記録ヘッド６４の間に入ると、用紙詰りが発生して印字は中断され、ユーザは、詰まった紙の取出し処理を行って、再度印刷を指示しなければならなくなり、ユーザに余分な作業を強いてしまう。
【００４０】
図５Ａは、用紙２１０の折り目２１０ｍの非印刷面βに後続する折り目２２０ｍが付着した状態で、用紙２１０が折り畳み用紙２００から引き出される様子を示す図である。
【００４１】
図５Ｂは、用紙２１０の折り目２１０ｍに後続する折り目２２０ｍが付着した状態で、第１案内部２２ａの前まで、引き出された様子を示す図である。２重部分２２０が、非印刷面β側に付着している。
【００４２】
図５Ｃは、付着した後続する折り目２２０ｍが分離される様子を示す図である。用紙２１０は、第１案内部２２ａによって、印刷面αを内側にして屈曲されて移動する。２重部分２２０は、折り目部分の弱い力で付着されているだけなので、用紙２１０が屈曲して移動される際に、２重部分２２０では、屈曲されることに対する抵抗力の方が付着力よりも大きいため、２重部分２２０の折り目２２０ｍが折り目２１０ｍから分離される。これにより、２重部分２２０が矢印Ｑ方向に向かって分離され、２重部分２２０が第１空隙２４へ移動して、用紙２１０から離脱し、２重引出しが解消される。
【００４３】
図６の各図は、２重に引き出された用紙の部分（以下、２重部分２３０と称す）が第２案内部２６で分離される様子を模式的に説明する図である。図６の各図では、用紙の印刷面α側に付着した後続する折り目２３０ｍが、第２案内部２６によって分離される場合を示す図である。図６Ａ、図６Ｂ、図６Ｃ、図６Ｄは、時系列の順番である。図６の各図は、図３と同一方向から見た断面図であるが、説明に不要な箇所は省略して図示する。
【００４４】
図６Ａは、印字実行中に、折り畳み用紙２００から用紙２１０が引き出される際に、用紙２１０の折り目２１０ｍに後続する折り目２３０ｍが付着した状態で引き出される状態を示す。図５で説明したと同様に、２重に引き出された用紙のままで、記録ヘッド６４に入ると、エラーを発生させてしまう。
【００４５】
図６Ａは、用紙２１０の折り目２１０ｍの印刷面に後続する折り目２３０ｍが付着した状態で、用紙２１０が折り畳み用紙２００から引き出される様子を示す図である。
【００４６】
図６Ｂは、用紙２１０の折り目２１０ｍに後続する折り目２３０ｍが付着した状態で、第１案内部２２ａで屈曲されて移動する様子を示す図である。第１案内部２２ａにより屈曲されても、２重部分２３０は用紙２１０の印刷面α側に付着していて、２重部分２３０が用紙２１０の内側になるため、２重部分２３０が用紙２１０から分離することはない。
【００４７】
図６Ｃは、用紙２１０に２重部分２３０が付着した状態で、第１案内部２２ａを通過して、斜面部２２ｂの端部まで移動された様子を示す図である。
【００４８】
図６Ｄは、付着した後続する折り目２３０ｍが分離される様子を示す図である。用紙２１０は、第２案内部２６によって、印刷面αを外側にして屈曲して移動する。２重部分２３０は、折り目部分の弱い力で付着されているだけなので、用紙２１０が屈曲して進む際に、２重部分２３０では、屈曲されることに対する抵抗力の方が付着力よりも大きいため、２重部分２３０の折り目２３０ｍが折り目２１０ｍから分離される。これにより、２重部分２３０が矢印Ｒ方向に向かって分離され、２重部分２３０が第２空隙２８へ移動して、用紙２１０から離脱し、２重引出しが解消される。
【００４９】
以上説明した実施形態により少なくとも奏される効果を列記する。
・用紙に付着する２重部分を、途中の案内部で用紙を屈曲させることにより分離させるので、センサやアクチュエータが不要で、携帯端末の小型化が可能となる。
・用紙案内部に用紙を印刷面を内側にして屈曲させる部材（第１案内部）と、用紙を非印刷面を内側にして屈曲させる部材（第２案内部）をそれぞれ設けたので、用紙のいずれの面に２重部分があっても、確実に分離させることができる。
・屈曲させる部材（第１案内部、第２案内部）の近傍に、それぞれ分離される２重部分を受け入れる空隙（第１空隙、第２空隙）を設けたので、分離される２重部分が引っかかってしまうおそれがない。
・第２案内部を開閉可能な上カバーに設けたので、上カバーを閉める操作だけで、用紙のセットが完了する。
【００５０】
以上説明した実施形態に対する変形例を列記する。
・最初に印刷面を内側にして屈曲させ、その後印刷面を外側（非印刷面を内側）にして屈曲させるようにしたが、逆の順番でもよい。
・用紙収納部を用紙案内部の下部に設けたが、用紙収納部を用紙案内部の上部に設けるようにしてもよい。
【００５１】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００５２】
１      携帯端末装置
５      用紙収納室
７      本体部
１０    用紙収納部
２０    用紙案内部
２２    仕切り板
２２ａ  第１案内部
２２ｂ  斜面部
２４    第１空隙
２６    第２案内部
２８    第２空隙
５０    上部カバー
５２    凹部
５４    排紙口
５８    ロック釦
６０    印字部
６２    プラテン
６４    記録ヘッド
６６    駆動モータ
６８    電気基板
７０    ハーネス
１００  表示部
１１０  入力部
１２０  電池カバー
１２２  レバー
２００  折り畳み用紙
２００ａ、２００ｂ  折り返し端部
２１０  用紙
２１０ｍ、２２０ｍ、２３０ｍ  折り目
２２０，２３０  ２重部分
【図１】
2015085530.tif 000003
【図２】
2015085530.tif 000004
【図３】
2015085530.tif 000005
【図４】
2015085530.tif 000006
【図５Ａ】
2015085530.tif 000007
【図５Ｂ】
2015085530.tif 000008
【図５Ｃ】
2015085530.tif 000009
【図６Ａ】
2015085530.tif 000010
【図６Ｂ】
2015085530.tif 000011
【図６Ｃ】
2015085530.tif 000012
【図６Ｄ】
2015085530.tif 000013